(57)【要約】【課題】農作物を農作物育成シートから容易に解放することができる農作物育成シートを提供する。【解決手段】農作物育成シート１００は、畝９１を覆うマルチシート９２上に配置される長尺のシート体１０１を備えている。シート体１０１は、マルチシート９２上に載置される側の内側面１０１ａの両縁部に粘着部１０２を備えている。また、シート体１０１における中央部には、シート体１０１の幅方向に沿って延びる作物貫通孔１０３がシート体１０１の長手方向に並んで形成されている。そして、この作物貫通孔１０３における一方の端部と同端部に対向する粘着部１０２との間には、シート体１０１の長手方向に沿って紐体１０４が設けられている。紐体１０４は、シート体１０１を裂くための樹脂製の糸であり、シート体１０１の長手方向の長さよりも長く形成されてその両端部がシート体１０１の長手方向両端部からそれぞれ露出している。【選択図】  図１
2014023440.tif 000002
【特許請求の範囲】
【請求項１】
畝を覆うマルチシート上に配置される長尺のシート体と、
前記マルチシートに貼り付かせるために前記シート体の両縁部に長手方向に沿ってそれぞれ形成された粘着部と、
前記シート体の長手方向に沿って並んで形成されて前記畝上に生育する農作物が貫通可能な作物貫通孔とを備えた農作物育成シートにおいて、
前記シート体に対して同シート体の長手方向に沿って設けられた紐体を備え、
前記シート体は、少なくとも前記紐体に対向する部分が同紐体によって押し付けまたは引っ張られることによって裂けるように構成されていることを特徴とする農作物育成シート。
【請求項２】
請求項１に記載した農作物育成シートにおいて、
前記紐体は、
前記シート体におけるマルチシートに対向する側の内側面に配置されていることを特徴とする農作物育成シート。
【請求項３】
請求項１または請求項２に記載した農作物育成シートにおいて、
前記紐体は、
前記シート体における前記粘着部と前記作物貫通孔との間に設けられていることを特徴とする農作物育成シート。
【請求項４】
請求項１または請求項２に記載した農作物育成シートにおいて、
前記紐体は、
前記シート体における前記作物貫通孔に重なって設けられていることを特徴とする農作物育成シート。
【請求項５】
請求項１ないし請求項４のうちのいずれか１つに記載した農作物用育成シートにおいて、
前記紐体は、
糸状または帯状に形成されていることを特徴とする農作物育成シート。
【請求項６】
請求項１ないし請求項５のうちのいずれか１つに記載した農作物用育成シートにおいて、
前記紐体は、
前記シート体に保持されていることを特徴とする農作物育成シート。
【発明の詳細な説明】
【技術分野】
【０００１】
本発明は、農作物を栽培する畝を覆うマルチシート上に配置して苗を保護する農作物育成シートに関する。
【背景技術】
【０００２】
従来から、農作物の栽培においては、農作物を栽培する土の水はけ性、加温性または保温性などを確保することを目的として畝が用いられることがある。畝は、畑内において土を直線状に盛り上げて形成されたものであり、多くの場合、盛り上げられた土の表面がマルチシートで覆われている。マルチシートは、畝を構成する土の加温性および保温性の向上、乾燥防止、畝上の雑草の抑制および風雨などによる損壊を防止するためのものであり、一般に、黒色で柔軟な樹脂製シートで構成されている。
【０００３】
しかし、マルチシートには畝上の農作物を外部に露出させるための作物植付孔が形成されているため、この作物植付孔を介して畝の表面の保温性の低下、乾燥、雑草の発生および風雨などによる損壊が生じることがある。また、畝上に植えた農作物の苗はマルチシート上に露出しているため日射、風、雨、霜、雹または雪などによって傷むことがある。これらのため、例えば、下記特許文献１には、畝の表面を覆うマルチシートにおける作物植付孔および農作物の苗を更に覆うことにより、前記畝および苗に対する弊害を防止する帯状の農作物育成シートが開示されている。
【先行技術文献】
【特許文献】
【０００４】
【特許文献１】特開２００５−１７６７８９号公報
【０００５】
しかしながら、上記特許文献１に示された農作物育成シートにおいては、農作物を農作物育成シートから解放する作業が極めて煩雑であるという問題があった。すなわち、農作物育成シートは、農作物の成長や継時的な劣化によって自然に破れるように構成された農作物育成シートにおいては、農作物育成シートの破れの位置や破れ具合に不可避的にムラが生じるため、農作物育成シートにおける破れていないまたは破れ具合が不十分な部分を探して人為的に破って農作物を農作物育成シートから解放する作業は極めて煩雑である。また、継時的には自然に破れない構成の農作物育成シートにおいては、マルチシートにおける作物貫通孔の両側にそれぞれ貼り付いた農作物育成シートの両端部をマルチシート上に露出する農作物に注意を払いながら長尺の畝に沿って剥がさなければならないため、作業者にとって相当の手間と体力を要する作業となっていた。
【０００６】
本発明は上記問題に対処するためなされたもので、その目的は、農作物を農作物育成シートから容易に解放することができる農作物育成シートを提供することにある。
【発明の概要】
【０００７】
上記目的を達成するため、本発明の特徴は、畝を覆うマルチシート上に配置される長尺のシート体と、マルチシートに貼り付かせるためにシート体の両縁部に長手方向に沿ってそれぞれ形成された粘着部と、シート体の長手方向に沿って並んで形成されて畝上に生育する農作物が貫通可能な作物貫通孔とを備えた農作物育成シートにおいて、シート体に対して同シート体の長手方向に沿って設けられた紐体を備え、シート体は、少なくとも紐体に対向する部分が同紐体によって押し付けまたは引っ張られることによって裂けるように構成されていることにある。この場合、紐体は、シート体におけるマルチシートに対向する側の内側面に配置または同内側面の反対側の外側面に固定された状態で設けるとよい。また、紐体は、シート体と一体的に設けてもよい。
【０００８】
このように構成した本発明の特徴によれば、農作物育成シートは、長尺のシート体に対して長手方向に沿って紐体が設けられているとともに、シート体における紐体が対向する部分が紐体によって押し付けまたは引っ張られることによって裂ける程度の強度によって構成されている。このため、農作物を農作物育成シートから解放する作業者は、紐体をシート体に逆らう方向に引っ張ることによってシート体を長手方向に沿って容易に破って農作物を農作物育成シートから容易に解放することができる。
【０００９】
また、本発明の他の特徴は、前記農作物育成シートにおいて、紐体は、シート体におけるマルチシートに対向する側の内側面に配置されていることにある。
【００１０】
このように構成した本発明の他の特徴によれば、農作物育成シートは、紐体がシート体における内側面に配置されているため、シート体をマルチシート上に設置した際に紐体をシート体とマルチシートとの間に配置することができる。これにより、農作物育成シートは、紐体をシート体に固定することなくシート体に沿って配置することができ、農作物育成シートの構成および製造工程を簡単にすることができる。
【００１１】
また、本発明の他の特徴は、前記農作物育成シートにおいて、紐体は、シート体における粘着部と作物貫通孔との間に設けられていることにある。
【００１２】
このように構成した本発明の他の特徴によれば、農作物育成シートは、紐体がシート体における粘着部と作物貫通孔との間に設けられているため、作物貫通孔の内側で生育する農作物の障害にならないとともに紐体を引っ張ってシート体を破る際に農作物に対する紐体の引っ掛かりを抑制することができる。
【００１３】
また、本発明の他の特徴は、前記農作物用育成シートにおいて、紐体は、シート体における作物貫通孔に重なって設けられていることにある。
【００１４】
このように構成した本発明の他の特徴によれば、農作物育成シートは、紐体がシート体における作物貫通孔に重なって設けられているため、紐体を引っ張ってシート体を破ることにより作物貫通孔を同時に開放することができ、農作物を作物貫通孔に貫通した状態で解放することができる。
【００１５】
また、本発明の他の特徴は、前記農作物用育成シートにおいて、紐体は、糸状または帯状に形成されていることにある。
【００１６】
このように構成した本発明の他の特徴によれば、農作物育成シートは、紐体が糸状または帯状に形成されている。この場合、農作物育成シートは、紐体が糸状に形成されていることによって紐体が帯状に形成されている場合に比べてシート体を小さな力で裂くことができ作業性を向上させることができる。また、農作物育成シートは、紐体が帯状に形成されていることによって紐体が糸状に形成されている場合に比べて紐体を見つけ易いとともに把持し易くなって作業性を向上させることができる。
【００１７】
また、本発明の他の特徴は、前記農作物用育成シートにおいて、紐体は、シート体に保持されていることにある。
【００１８】
このように構成した本発明の他の特徴によれば、農作物育成シートは、紐体がシート体に保持されているため、紐体がシート体からずれることが防止されて農作物育成シートをマルチシート上に設置する際における作業性も含めて取り扱いが容易となる。
【図面の簡単な説明】
【００１９】
【図１】本発明の一実施形態に係る農作物育成シートの全体構成を概略的に示す斜視図である。
【図２】図１に示す農作物育成シートを畝上に設置した状態を概略的に示す斜視図である。
【図３】図１に示す農作物育成シートを畝上に設置する作業を概略的に示す斜視図である。
【図４】図２に示す農作物育成シートによってシート体を裂く作業を概略的に示す斜視図である。
【図５】図２に示す農作物育成シートを畝上から完全に除去した状態を概略的に示す斜視図である。
【図６】本発明の変形例に係る農作物育成シートの全体構成を概略的に示す斜視図である。
【図７】本発明の他の変形例に係る農作物育成シートによってシート体を裂く作業を概略的に示す部分拡大斜視図である。
【図８】本発明の他の変形例に係る農作物育成シートの全体構成を概略的に示す斜視図である。
【発明を実施するための形態】
【００２０】
以下、本発明に係る農作物育成シートの一実施形態について図面を参照しながら説明する。図１は、本発明に係る農作物育成シート１００の全体構成の概略を示す斜視図である。また、図２は、図１に示す農作物育成シート１００を畝９０上に設置した状態を概略的に示す斜視図である。なお、本明細書において参照する各図は、本発明の理解を容易にするために一部の構成要素を誇張して表わすなど模式的に表している。このため、各構成要素間の寸法や比率などは異なっていることがある。この農作物育成シート１００は、農作物９０を栽培する畝９１の表面を覆うマルチシート９２上に配置されて畝９１および農作物９０を保護するためのものである。
【００２１】
ここで、農作物育成シート１００が設置される畝９１およびマルチシート９２についてそれぞれ簡単に説明しておく。畝９１は、農作物９０、主として、さつまいも（塊根類）やじゃがいも（塊茎類）などの根菜類の農作物を栽培する土の水はけ性、加温性または保温性などを確保することを目的として畑内に構築されるもので、土を直線状に盛り上げて上面が平らな略台形状に形成されるものである。また、マルチシート９２は、畝９１を構成する土の加温性および保温性の向上、乾燥防止、畝９１上の雑草の抑制および風雨などによる損壊を防止するための薄膜状の覆い物であり、黒色で柔軟な樹脂製（例えば、ポリエチレン）のシートで構成されている。
【００２２】
（農作物育成シート１００の構成）
農作物育成シート１００は、シート体１０１を備えている。シート体１０１は、畝９１の表面を覆うマルチシート９２上に配置される柔軟な薄膜体であり、帯状に延びて形成されている。このシート体１０１は、農作物９０を育成可能な程度の通気性、通水性、光透過性、耐候性および耐久性を備えるとともに、後述する紐体１０４が押し付けられることによって裂ける程度の強度の材料で構成されている。この場合、シート体１０１は、農作物育成シート１００による農作物９０の保護が必要な期間内において必要な耐候性および耐久性を備えているものである。すなわち、シート体１０１は、農作物９０がある程度の大きさに成長するまでの期間の経過および農作物９０の成長によって破れる程度の耐候性および耐久性を備えている。
【００２３】
シート体１０１の材料としては、例えば、紙材、不織布、織布、編布および樹脂材を単体でまたはこれらを組み合わせた材料を採用することができる。本実施形態においては、シート体１０１は、紙材、より具体的には、キッチンペーパと同様の紙材で構成されている。なお、シート体１０１は、生分解材料や燃焼時に有害なガスを発生しない材料を用いることにより廃棄処理が容易となる。また、シート体１０１の大きさは、畝９１上に植え付けられる農作物９０の周囲を覆う程度の大きさに形成されている。本実施形態においては、シート体１０１は、畝９１の上面の大きさよりも一回り小さい大きさに形成されている。
【００２４】
シート体１０１におけるマルチシート９２上に対向する側の面（図示裏面）である内側面１０１ａの両縁部には、粘着部１０２がそれぞれ形成されている。粘着部１０２は、シート体１０１をマルチシート９２の表面に貼り付けて固定するための部分であり、シート体１０１の内側面１０１ａの両縁部に長手方向に沿って連続的に形成されている。なお、この内側面１０１ａの反対側の面であり外部に露出する面を外側面１０１ｂとする。
【００２５】
この粘着部１０２は、マルチシート９２の表面に粘着可能な粘着剤をシート体１０１における内側面１０１ａの両縁部に薄膜状にそれぞれ塗布して形成されている。なお、この粘着部１０２は、粘着剤が塗布された両面テープをシート体１０１における内側面１０１ａの両縁部に貼り付けて構成することもできる。また、粘着部１０２は、シート体１０１における内側面１０１ａの両縁部において長手方向に沿って断続的に形成することもできる。なお、図１においては、シート体１０１の先端部の一部を捲ってシート体１０１の内側面１０１ａを現すとともに、同内側面１０１ａに形成された粘着部１０２をハッチングにより示している。
【００２６】
一方、シート体１０１における中央部には、シート体１０１の幅方向に沿って延びる作物貫通孔１０３がシート体１０１の長手方向に並んで形成されている。作物貫通孔１０３は、マルチシート９２上に露出する農作物９０を貫通させるための貫通孔であり、シート体１０１の幅方向に沿って切れ目（スリット）が断続的に延びて形成されている。本実施形態においては、作物貫通孔１０３は、シート体１０１の両縁部にそれぞれ設けられた粘着部１０２間よりも十分に短い長さで形成されている。
【００２７】
この作物貫通孔１０３における一方（図示右側）の端部と同端部に対向する粘着部１０２との間には、シート体１０１の長手方向に沿って紐体１０４が設けられている。紐体１０４は、シート体１０１を裂くための長尺の部材であり、樹脂材を長尺に延ばして形成されている。本実施形態においては、紐体１０４は、樹脂製（例えば、ナイロン）釣り糸によって構成されている。この紐体１０４は、シート体１０１の長手方向の長さよりも長く形成されており、シート体１０１における長手方向両端部から両端部がそれぞれ露出するよう形成されている。
【００２８】
これらのシート体１０１および紐体１０４は、芯材１０５に巻かれることによりロール体１０６を構成している。この場合、シート体１０１は、粘着部１０２を内側にした状態で芯材１０５上に巻かれている。また、紐体１０４は、シート体１０１における粘着部１０２が形成された内側面１０１ａにおいて作物貫通孔１０３の一方（図示右側）の端部と同端部に対向する粘着部１０２との間に配置された状態でシート体１０１とともにロール体１０５に巻かれている。
【００２９】
（農作物育成シート１００の作動）
次に、上記のように構成した農作物育成シート１００の作動について説明する。まず、作業者は、農作物育成シート１００の設置対象となる畝９１を構築するとともに構築した畝９１の外表面をマルチシート９２で覆った後、農作物９０の種または苗を植える。これらの畝９１の構築作業、マルチシート９２の設置作業および農作物９０の種または苗の植え込み作業は、本発明に直接関わらないが、以下に簡単に説明しておく。
【００３０】
まず、作業者は、農具または農業機械を用いて畑の土を直線状に盛り上げるとともに、盛り上げた土の塊を断面形状が略台形状になるように形を整えて畝９１を成形する。次に、作業者は、マルチシート９２を用意した後、台形状に形成した畝９１の外表面をマルチシート９２によって覆う。この場合、作業者は、マルチシート９２の外縁部に土を盛ってマルチシート９２を畝９１に密着するように固定する。
【００３１】
次に、作業者は、マルチシート９２によって覆われた畝９１の上面に農作物９０の種または苗を植える。具体的には、作業者は、畝９１の上面上のマルチシート９２に農作物９０を露出させるための貫通孔からなる作物植付孔９３を形成した後、同作物植付孔９３の内側に露出した畝９１の上面に農作物９０の種または苗を植える。これにより、農作物育成シート１００を設置する前作業が完了する。なお、畝９１の形状は、台形状に限られず、断面形状が方形状、三角形状、円弧状などの形状に形成されていてもよいことは当然である。
【００３２】
次に、作業者は、農作物育成シート１００を用意する。具体的には、作業者は、シート体１０１および紐体１０４がそれぞれ芯材１０５に巻かれたロール体１０６を用意する。この場合、農作物育成シート１００は、シート体１０１が畝９１の長さに対応する長さ、本実施形態においては、畝９１の長さより若干短い長さに形成されている。
【００３３】
次に、作業者は、農作物育成シート１００をマルチシート９２によって覆われた畝９１の上面に設置する。具体的には、作業者は、図３に示すように、ロール体１０６からシート体１０１および紐体１０４を引き出して畝９１の上面上におけるマルチシート９２の表面上に長手方向における一方の端部側から他方の端部側に向かってシート体１０１および紐体１０４を引き出しながら載置する。この場合、ロール体１０６から引き出されたシート体１０１における内側面１０１ａには、粘着部１０２が露出しているため、粘着部１０２がマルチシート９２の表面に貼り付くことによってシート体１０１がマルチシート９２上に固定される。
【００３４】
また、この場合、紐体１０４は、ロール体１０６から引き出されたシート体１０１における内側面１０１ａに設けられているため、マルチシート９２の表面とシート体１０１における内側面１０１ａとの間に自由に変位可能な状態で配置される。また、紐体１０４は、シート体１０１よりも長く形成されているため、その両端部がシート体１０１における長手方向両端部から露出した状態で配置される。
【００３５】
また、マルチシート９２によって覆われた畝９１における上面上には、マルチシート９２の作物植付孔９３を塞いだ状態で農作物育成シート１００が固定的に配置される。この場合、畝９１の上面上における作物植付孔９３上には、シート体１０１における作物貫通孔１０３が対向配置されているため、作物植付孔９３の内側の畝９１の上面上に植え付けられた農作物９０が完全に塞がれることはなく、生育に必要な通気性、通風性および光透過性は確保される。このシート体１０１のマルチシート９２への貼り付け作業によって農作物育成シート１００の設置作業は終了する。したがって、作業者は、農作物育成シート１００が設置された状態で農作物９０を育成して成長させる。
【００３６】
農作物９０の生育過程において、農作物育成シート１００におけるシート体１０１は、農作物９０の成長に応じて変形する。具体的には、シート体１０１は、農作物９０の成長によって作物貫通孔１０３が開口したり、シート体１０１自体が破られて作物貫通孔１０３を拡大したり、新たな貫通孔が形成されたりする。そして、作業者は、図２に示すように、農作物育成シート１００が不要な程度にまで農作物９０が成長した場合には、農作物９０から農作物育成シート１００を解放する解放作業を行う。
【００３７】
具体的には、作業者は、図４に示すように、シート体１０１における長手方向両端部から露出した紐体１０４の両端部のうちの一方の端部を把持してシート体１０１に逆らう方向（紐体１０４における他方の端部側への方向）に引っ張ることによってシート体１０１を長手方向に沿って裂くことができる。この場合、作業者は、シート体１０１における幅方向の任意の位置に紐体１０４を位置決めした後、紐体１０４を引っ張ることによってシート体１０１を裂くことができる。これにより、シート体１０１は、紐体１０４の両側の部分を境としてそれぞれ２つに分断される。この結果、農作物９０は、シート体１０１によって押さえられた状態から解放される。したがって、作業者は、シート体１０１を２つに分断した時点で農作物９０の解放作業を終了してもよい。この場合、農作物９０は、更なる成長過程においてシート体１０１を裂きながら成長することになる。
【００３８】
一方、作業者は、２つに分断した各シート体１０１のうち、作物貫通孔１０３が形成された側のシート体１０１を把持してマルチシート９２から離隔する方向に引っ張ることによってマルチシート９２からシート体１０１を剥がして農作物９０からシート体１０１を完全に除去することもできる。この結果、農作物９０は、農作物育成シート１００から完全に解放された状態となる。なお、２つに分断した各シート体１０１のうちの他方のシート体１０１は、農作物９０を規制していないためマルチシート９２から敢えて除去しなくてもよいが、この他方のシート体１０１を剥がし取ることにより、図５に示すように、シート体１０１を完全にマルチシート９２上から除去することができる。そして、マルチシート９２から除去したシート体１０１および紐体１０４は、それぞれ廃棄される。
【００３９】
上記作動説明からも理解できるように、上記実施形態によれば、農作物育成シート１００は、長尺のシート体１０１におけるマルチシート９２に対向する内側面１０１ａに長手方向に沿って紐体１０４が設けられているとともに、シート体１０１における紐体１０４が対向する部分が紐体１０４によって押し付けられることによって裂ける程度の強度によって構成されている。このため、農作物９０を農作物育成シート１００から解放する作業者は、紐体１０４をシート体１０１に逆らう方向に引っ張ることによってシート体１０１を長手方向に沿って容易に破って農作物９０を農作物育成シート１００から容易に解放することができる。
【００４０】
さらに、本発明の実施にあたっては、上記実施形態に限定されるものではなく、本発明の目的を逸脱しない限りにおいて種々の変更が可能である。
【００４１】
例えば、上記実施形態においては、作物貫通孔１０３は、シート体１０１の幅方向に断続的に延びる切れ目で構成した。しかし、作物貫通孔１０３は、畝９１に植えた農作物９０が貫通するように構成されていれば、上記実施形態に限定されるものではない。例えば、作物貫通孔１０３をシート体１０１の幅方向または長手方向に連続的に延びる切れ目で構成してもよいし、断続的に形成された円形状の孔で構成することもできる。また、作物貫通孔１０３は、シート体１０１における作物貫通孔１０３を形成する部分を他の部分よりも破れ易く構成、例えば、破れ易い材料や無数の針状の孔を形成して構成することもできる。
【００４２】
また、上記実施形態においては、紐体１０４は、シート体１０１に固定せずに用いた。これにより、作業者は、シート体１０１における幅方向の任意の位置でシート体１０１を裂くことができる。しかし、紐体１０４は、シート体１０１に対して固定して用いることもできる。この場合、紐体１０４をシート体１０１に固定する方法としては、例えば、接着剤や接着テープによる方法、紐体１０４をシート体１０１の表裏面に亘って縫うように貫通させる方法、またはシート体１０１の長手方向に沿ってシート体１０１に筒状部を設けてその筒状部内に紐体１０４を通す方法などが考えられる。このように、紐体１０４をシート体１０１に固定する場合においては、紐体１０４は、シート体１０１における内側面１０１ａの他に、外側面１０１ｂ側に配置することができる。すなわち、紐体１０４は、シート体１０１におけるマルチシート９２に対向する側の内側面１０１ａに配置または同内側面１０１ａの反対側の外側面１０１ｂに固定された状態で設けることができる。
【００４３】
また、さらに、紐体１０４をシート体１０１と一体化することもできる。すなわち、例えば、図６に示すように、シート体１０１における一部にシート体１０１の長手方向に沿って２つのミシン目１１０を形成することによってこれら２つのミシン目１１０の間の部分を紐体１０４とすることもできる。これによれば、農作物育成シート１００の構成を簡単にすることができる。
【００４４】
また、上記実施形態においては、紐体１０４は、シート体１０１における粘着部１０２と作物貫通孔１０３との間に設けた。しかし、紐体１０４は、例えば、図７に示すように、シート体１０１における作物貫通孔１０３に重なって設けることもできる。これによれば、農作物育成シート１００は、紐体１０４を引っ張ってシート体１０１を破ることにより作物貫通孔１０３を同時に開放することができ、農作物９０を作物貫通孔１０３に貫通した状態で解放することができる。
【００４５】
また、上記実施形態においては、紐体１０４は、樹脂材を糸状に形成して構成した。しかし、紐体１０４は、シート体１０１に対して押し付けられるまたは引っ張られることによってシート体１０１を裂くことができれば材質や形状は、必ずしも上記実施形態に限定されるものではない。例えば、紐体１０４は、樹脂材の他に、金属材、紙材、布材またはゴム材などによって構成することができる。また、紐体１０４は、糸状の他に、例えば、図８に示すように、帯状（ベルト状）に形成することもできる。
【００４６】
また、上記実施形態においては、シート体１０１は、紐体１０４が押し付けられることによって裂ける程度の強度の材料で構成されている。しかし、シート体１０１は、少なくとも紐体１０４に対向する部分が紐体１０４による押し付けまたは引っ張りにより裂けるように構成されていればよい。したがって、シート体１０１は、紐体１０４に対向する部分のみを紐体１０４による押し付けまたは引っ張りにより裂ける材料や構成によって形成することができる。例えば、シート体１０１は、紐体１０４に対向する部分に沿ってミシン目を形成して裂け易く構成することができる。
【００４７】
また、上記実施形態においては、シート体１０１は、粘着部１０２が形成された内側面１０１ａを内側にして芯材１０５に巻いてロール体１０６とした。しかし、シート体１０１は、粘着部１０２が形成された内側面１０１ａを外側にして芯材１０５に巻いてロール体１０６を構成することもできる。これによれば、作業者は、ロール体１０６をマルチシート９２上で転がすことによってシート体１０１をマルチシート９２に貼り付けることができる。
【符号の説明】
【００４８】
９０…農作物、９１…畝、９２…マルチシート、９３…作物植付孔、
１００…農作物育成シート、１０１…シート体、１０１ａ…内側面、１０１ｂ…外側面、１０２…粘着部、１０３…作物貫通孔、１０４…紐体、１０５…芯材、１０６…ロール体、
１１０…ミシン目。
【図１】
2014023440.tif 000003
【図２】
2014023440.tif 000004
【図３】
2014023440.tif 000005
【図４】
2014023440.tif 000006
【図５】
2014023440.tif 000007
【図６】
2014023440.tif 000008
【図７】
2014023440.tif 000009
【図８】
2014023440.tif 000010